(57)【要約】【課題】作業者の手を煩わせることなく、使用済み紙おむつの減量処理及び排出容器への格納という一連の動作が可能である使用済み紙おむつ処理装置を提供する。【解決手段】内槽に支持され、収納された使用済み紙おむつを内槽の内面から離すように位置規制する貼付防止部材７３を有する。処理槽２０で処理しかつ貼付防止部材で位置規制された紙おむつを処理槽の底部から開閉部７１，７２を介して取出部６に排出する。【選択図】図１Ａ
2020192492.tif 000002
【特許請求の範囲】
【請求項１】
使用済み紙おむつを処理する処理槽と、
前記処理槽に処理液を供給する液供給部と、
前記処理槽から前記処理液を排出する液排出部と、
前記処理槽で処理した紙おむつを前記処理槽の下方で取り出す取出部とを備える使用済み紙おむつ処理装置であって、
前記処理槽は、前記使用済み紙おむつを収納可能でかつ側面または底面の少なくとも一方に前記紙おむつより小さい複数の貫通穴を有する円筒形状の内槽と、前記内槽の側面と底面とを囲う外槽とを有し、
前記内槽に支持され、収納された前記使用済み紙おむつを前記内槽の内面から離すように位置規制する貼付防止部材を有し、
前記内槽を前記内槽の軸周りに回転させる回転駆動部と、
前記処理槽で処理しかつ前記貼付防止部材で位置規制された前記紙おむつを前記処理槽の底部から前記取出部に排出する開閉部とを備える、使用済み紙おむつ処理装置。
【請求項２】
前記貼付防止部材は、前記内槽に支持され、収納された前記使用済み紙おむつを前記内槽の内面から離すように位置規制する複数個の板で構成されている、請求項１に記載の使用済み紙おむつ処理装置。
【請求項３】
前記板が、ヒンジ部で屈曲可能に連結されている少なくとも２つの板で構成されている、請求項２に記載の使用済み紙おむつ処理装置。
【請求項４】
前記貼付防止部材は、前記隣接する板と板との間に網が張られて構成される、請求項２または３に記載の使用済み紙おむつ処理装置。
【発明の詳細な説明】
【技術分野】
【０００１】
本発明は、使用済み紙おむつに含まれる高吸水性ポリマーから水分を離水させることで、減量する使用済み紙おむつ処理装置に関する。
【０００２】
より詳細には、本発明は、排泄物に含まれる水分を吸収した高吸水性ポリマーと２価の金属イオンなどを含む薬品とを混合することで、高吸水性ポリマーが持つ吸水機能を低下させて水分を離水させ、使用済み紙おむつが含む水分量を低下させた後に、脱水することで重量を減量する使用済み紙おむつ処理装置に関する。
【背景技術】
【０００３】
使用済み紙おむつは、大量の水分を含むために、介護施設など、多量の使用済み紙おむつを扱う場合に、その重量が課題になることがある。紙おむつには、高吸水性ポリマーが含まれており、大量の水分を保持することが可能になっている。また、一度、高吸水性ポリマーに吸水された水分は、そのままでは離水することが難しいものになっている。
【０００４】
そこで、水に浸漬した使用済み紙おむつを、水溶物と不溶物とに分離解体し、分離解体された水溶物を汚水とともに下水処理施設側へ排出することで、紙おむつを減量化及び減容化する使用済み紙おむつ処理装置が提案されている（特許文献１参照）。
【０００５】
図１０に、特許文献１に記載されている従来の使用済み紙おむつ処理装置１０１の例を示しており、図１０の（ａ）は、従来の使用済み紙おむつ処理装置１０１の正面図であり、図１０の（ｂ）は、側面図を示す。図１０において、１０２は開閉蓋、１０６は外胴、１０７は回転ドラム、１１１は貫通孔、１１２は攪拌突起、１１６はモータ、１３３は水供給管、１３５、１３７は排出管、１３６は開閉弁である。
【０００６】
次に、従来の使用済み紙おむつ処理装置１０１の動作を説明する。
【０００７】
使用済み紙おむつは、開閉蓋１０２から回転ドラム１０７に投入される。
【０００８】
次に、水供給管１３３から外胴１０６内に所定量（すなわち回転ドラム１０７の下部が浸る量）の水が給水された後、モータ１１６を始動して回転ドラム１０７を回転させて、回転ドラム１０７内に水流を発生させる。これにより、回転ドラム１０７内の紙おむつを水に浸漬した状態で分離解体することが可能となる。このとき、攪拌突起１１２があることで、紙おむつの攪拌処理が促され、分離解体処理が促進されるようになっている。分離解体された紙おむつは、貫通孔１１１を介して排出管１３５、１３７を通り、下水処理施設に連通された下水管に排水される。
【０００９】
しかしながら、特許文献１に記載の使用済み紙おむつ処理装置１０１では、その処理工程において紙おむつを分離解体し、解体された紙おむつの繊維成分を下水処理施設に対して、直接、排出するため、下水処理施設での排水処理において解体された紙おむつの繊維成分を処理するための負荷が増大してしまう課題が発生する。そのため、下水管に排出する際には、解体された紙おむつの繊維成分をフィルタ除去するなどの装置を導入する必要がある。
【００１０】
そこで、別の処理方式として、２価の金属イオンなどを含む薬品と反応させることで、高吸水性ポリマーから水分を離水させて、紙おむつを減量する使用済み紙おむつ処理装置も提案されている（特許文献２参照）。
【００１１】
図１１に特許文献２に記載されている従来の使用済み紙おむつ処理装置２０１の例を示す。図１１において、２０２は石灰、２０３は次亜塩素、２０４は処理槽、２０５は使用済み紙おむつ、２０６は水、２０７は液体、２０８は排水である。
【００１２】
続いて、従来の使用済み紙おむつ処理装置２０１の動作を説明する。
【００１３】
まず、図１１の（ａ）に示すように、処理槽２０４に、石灰２０２、次亜塩素２０３及び使用済み紙おむつ２０５を投入する。
【００１４】
次に、図１１の（ｂ）及び（ｃ）に示すように、処理槽２０４内で攪拌可能になるように水２０６を投入した後、所定の時間攪拌する。この状態で攪拌を続けると、石灰の中に含まれるＣａイオンが紙おむつの高吸水性ポリマーと反応し、高吸水性ポリマーが含有していた水分が離水される。
【００１５】
最後に、図１１の（ｄ）に示すように、処理槽２０４内の液体２０７を処理槽２０４の外に排出させるとともに脱水し、排水２０８を排出する。
【先行技術文献】
【特許文献】
【００１６】
【特許文献１】特開２００１−１０４９２９号公報
【特許文献２】特開２０１０−８４０３１号公報
【発明の概要】
【発明が解決しようとする課題】
【００１７】
しかしながら、特許文献２に記載の使用済み紙おむつ処理装置２０１では、処理槽２０４の中で高吸水性ポリマーが含む水を離水させた後に、脱水処理を行い、紙おむつ部分のみが処理槽２０４の中に残るようになっている。残った使用済み紙おむつを取り出すには、作業者が上方から取り出し作業を行う必要があり、取り出した使用済み紙おむつを別途、ビニール袋などの廃棄用袋に詰め替える作業が必要になることから、作業者への作業負担及び衛生上の負担を強いることになってしまう課題が発生する。
【００１８】
本発明は、このような点に鑑み、使用済み紙おむつを２価の金属イオンなどを含む薬品と一緒に攪拌して、高吸水性ポリマーが持つ吸水機能を低下させることで水分を離水させた後に、脱水処理を行うことで使用済み紙おむつが含む水分量を低下させて重量を減量する使用済み紙おむつ処理装置において、紙おむつを分離解体することなく減量処理し、処理後の使用済み紙おむつの取り出し動作までの一連の動作を処理装置内で実現することで、下水処理場の排水処理の負担を増大させることなく、介護施設などでの作業者の作業負担及び衛生上の負担を軽減した使用済み紙おむつ処理装置を提供することを目的とする。
【課題を解決するための手段】
【００１９】
上記課題を解決するために、本発明の１つの態様にかかる使用済み紙おむつ処理装置は、使用済み紙おむつを処理する処理槽と、
前記処理槽に処理液を供給する液供給部と、
前記処理槽から前記処理液を排出する液排出部と、
前記処理槽で処理した紙おむつを前記処理槽の下方で取り出す取出部とを備える使用済み紙おむつ処理装置であって、
前記処理槽は、前記使用済み紙おむつを収納可能でかつ側面または底面の少なくとも一方に前記紙おむつより小さい複数の貫通穴を有する円筒形状の内槽と、前記内槽の側面と底面とを囲う外槽とを有し、
前記内槽に支持され、収納された前記使用済み紙おむつを前記内槽の内面から離すように位置規制する貼付防止部材を有し、
前記内槽を前記内槽の軸周りに回転させる回転駆動部と、
前記処理槽で処理しかつ前記貼付防止部材で位置規制された前記紙おむつを前記処理槽の底部から前記取出部に排出する開閉部とを備える。
【発明の効果】
【００２０】
本発明の前記態様にかかる使用済み紙おむつ処理装置によれば、外槽の底部と内槽の底部とが開閉することができ、内槽内面に配置された貼付防止部材で脱水後のおむつを内槽内面から離すように引き剥がして、処理後のおむつを内槽から落下させ、内槽の下方から取り出すことができ、作業者の作業負担及び衛生上の負担を軽減することが可能である。
【図面の簡単な説明】
【００２１】
【図１Ａ】本発明の実施形態１にかかる使用済み紙おむつ処理装置の構成を示す側面断面図
【図１Ｂ】本発明の実施形態１の変形例にかかる使用済み紙おむつ処理装置の構成を示す側面断面図
【図２】本発明の実施形態１において、処理槽内に使用済み紙おむつが配置され、攪拌動作を行っている状態を示す側面断面図
【図３】本発明の実施形態１において、内槽を高速回転させて、脱水動作を行っている状態を示す側面断面図
【図４】本発明の実施形態１において内槽に設置する板の間隔の違いによる脱水処理状況を説明する図３のＩＶ−ＩＶ線での切断断面図（ａ）と、比較例として内槽に設置する板の間隔が広すぎる場合の図３のＩＶ−ＩＶ線での切断断面図（ｂ）とを含む説明図
【図５】本発明の実施形態１において、処理槽底部を開き、処理後の使用済み紙おむつの取り出し動作を行っている状態を示す側面断面図
【図６】本発明の実施形態２にかかる使用済み紙おむつ処理装置の構成を示す側面断面図
【図７】本発明の実施形態１において、内槽と板の間に使用済み紙おむつが押し込まれている様子を示す水平断面図
【図８】本発明の実施形態２において、内槽を高速回転させて、脱水動作を行っている状態を示す処理槽の部分拡大側面断面図
【図９】本発明の実施形態３にかかる使用済み紙おむつ処理装置の構成を示す側面断面図
【図１０】従来の使用済み紙おむつ処理装置液体処理装置の断面図
【図１１】従来の使用済み紙おむつ処理装置液体処理装置の断面図
【発明を実施するための形態】
【００２２】
［実施形態１］
以下、図面を参照し、本発明の実施形態に係る使用済み紙おむつ処理装置１を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２３】
［全体構成］
まず、使用済み紙おむつ処理装置１の全体構成について説明する。図１Ａは、本発明の実施形態１にかかる使用済み紙おむつ処理装置１の構成を示す側面断面図である。
【００２４】
使用済み紙おむつ処理装置１は、少なくとも、処理槽２０と、液供給部１０と、液排出部９と、取出部６とを備えている。より詳しくは、使用済み紙おむつ処理装置１は、さらに、投入扉２と、装置本体３と、格納容器７と、廃棄用袋８と、制御装置１１と、回転駆動部７０とを備えている。
【００２５】
使用済み紙おむつを処理する処理槽２０は、装置本体３内の上部に配置され、例えば円形の筒状の外槽４及び例えば円形の筒状の内槽５で構成されている。内槽５は外槽４内に配置されている。
【００２６】
内槽５の上部は、使用済み紙おむつ１８を入れやすくするため広い口部として構成する上側の円錐部５ｂとし、中間部は、上側の円錐部５ｂに続く円筒部５ｃとし、下部は、円筒部５ｃより底面に向かうに従い先すぼまりの円錐状のテーパー部５ｄとするように構成されている。
【００２７】
外槽４の上部から中間部は、円筒部４ｃとし、下部は、円錐状のテーパー部５ｄと同様に、円筒部４ｃより底面に向かうに従い先すぼまりの円錐状のテーパー部４ｄとするように構成されている。
【００２８】
内槽５の内側側面には、貼付防止部材の一例として、矩形の板７３が内槽５の内面に内槽中心周りに複数個、取り付けられている。板７３は、上端部が内槽５の上部円筒部５ｃの内側側面の上端部で内槽５と連結されており、下方に向かうに従って内槽５から内槽中心側に離れ、下端部は自由端となるように取り付けられている。よって、後述する脱水動作時には遠心力で、板７３は内槽５の円筒部５ｃ及びテーパー部５ｄの内面に接触する一方、脱水動作停止時に遠心力が無くなると、板７３自体の剛性により、元の位置、すなわち、下方に向かうに従って内槽５から内槽中心側に離れた状態に復帰するように構成している。言い換えれば、板７３は、内槽５に支持されて、収納された使用済み紙おむつ１８を内槽５の内面から離すように位置規制するように構成している。
【００２９】
投入扉２は、装置本体３の上部に開閉可能に取り付けられている。使用済み紙おむつ１８は、投入扉２を開けて、内槽５内に投入される。
【００３０】
外槽４は、水を溜めることができる容器になっており、液供給部１０から水を外槽４内に導入することで貯水することが可能であるとともに、薬剤も液供給部１０から外槽４内に導入することができる。この結果、液供給部１０から外槽４内に処理液１９を供給することができる。なお、詳しくは後述するが、水と薬剤とを混合した処理液１９を液供給部１０から外槽４内に供給することもできる。
【００３１】
また、液排出部９を用いて、外槽４内の液体を外部に排出する。外槽４の内部には、少なくとも側面または底面のどちらかに複数の貫通穴５ａを持つ円筒形状の内槽５が配置されている。
【００３２】
また、内槽５は、回転駆動部７０に回転可能に接続されている。回転駆動部７０は、制御装置１１の制御の下に駆動される。回転駆動部７０は、一例として、内槽５の回転軸沿いに内槽５に固定されたシャフト１３と、シャフト１３と係合してシャフト１３を回転させるベルト１４と、ベルト１４が係合したギヤが固定された回転軸を有するモータ１２とで構成されており、制御装置１１の制御の下にモータ１２の駆動で内槽５を外槽４に対して回転することが可能である。内槽５の回転軸は、一例として、鉛直方向沿いに配置することができる。
【００３３】
外槽底部１５と内槽底部１７とは、外槽４と内槽５とに対して、それぞれ、開閉部の一例としてのヒンジ部７１，７２により、回動軸周りに開閉することが可能になっている。外槽底部１５と内槽底部１７との下方の装置本体３内の下部には、取出部６が配置されている。
【００３４】
処理後の紙おむつは、取出部６から取り出すことが可能になっている。取出部６の内部には、廃棄用袋８が取り付けられた格納容器７が配置されている。廃棄用袋８は内槽底部１７の直下に配置されている。格納容器７の開口を内槽５の底部の開口よりも大きくすることにより、処理後の紙おむつが格納容器７の廃棄用袋８内に円滑に落下させることができる。
【００３５】
外槽４及び内槽５の下部には、図１Ｂに示すように、テーパー部４ｄ，５ｄを付けなくても良い。テーパー部４ｄ，５ｄを付けることで、外槽底部１５と内槽底部１７の直径を小さくすることが可能であり、ヒンジ部７１，７２により、回動軸周りに開閉する際に必要になる空間を小さくすることが出来る。結果として、格納容器７に蓄えられる処理後のおむつを多くすることが出来る。
【００３６】
［動作］
次に、使用済み紙おむつ処理装置１の処理動作について説明する。以下では、説明の便宜上、内槽５内に使用済み紙おむつ１８を投入して配置されたのち、攪拌動作を行っている状態（図２）と、内槽５を高速回転させて脱水処理を行っている状態（図３）と、外槽底部１５及び内槽底部１７を開き、処理後の使用済み紙おむつ１８の取出部６への取り出し動作を行っている状態（図５）とを分けて説明する。
【００３７】
図２において、液供給部１０から水が外槽４に投入され、一定量の水が外槽４内に蓄えられる。
【００３８】
次に、高吸水性ポリマーの吸水機能を低下させる薬剤を液供給部１０から外槽４に投入して、外槽４内に既に投入された水と混合し、外槽４内に処理液１９を貯水する。高吸水性ポリマーの吸水機能を低下させる薬剤としては、金属イオンを含むものが好ましく、特に２価の金属を含む、塩化カルシウム、又は、石灰などを用いることが可能である。
【００３９】
次に、使用済み紙おむつ１８が、投入扉２から内槽５内に投入され、制御装置１１の制御の下にモータ１２が回転制御されて攪拌動作を実行する。具体的には、モータ１２が回転することで、ベルト１４を介してシャフト１３が回転し、内槽５が外槽４に対して回転する。これにより、処理液１９と使用済み紙おむつ１８とが攪拌される。しばらく（５分〜３０分程度が好ましい）攪拌動作を続けると、使用済み紙おむつ１８の高吸水性ポリマーと薬剤中の例えば２価の金属イオンとが反応することで、高吸水性ポリマーに含有されていた水分が、使用済み紙おむつ１８から離水し、離水した水が処理液１９と混合される。ここでの攪拌動作は、処理液１９と使用済み紙おむつ１８の高吸水性ポリマーとが反応すればよく、攪拌動作によって、使用済み紙おむつ１８が分離解体しない様に、制御装置１１の制御の下に緩やかに攪拌することが重要である。具体的には、例えば４０〜１６０ｒｐｍで緩やかに攪拌することが好ましい。
【００４０】
薬剤が混合された処理液１９が外槽４に貯水した状態で、使用済み紙おむつ１８を投入することで、使用済み紙おむつ１８が内槽５内で膨張することを防止することが可能である。もし、薬剤を含む処理液１９を貯水せずに、水だけを貯水した状態で使用済み紙おむつ１８を投入すると、高吸水性ポリマーが水を吸収し、使用済み紙おむつ１８が大きく膨張してしまう。この場合、内槽５内に一度に投入できる使用済み紙おむつ１８の数が限定される課題、及び、内槽５を大きくしなければならない課題が発生する。これに対して、薬剤が混合された処理液１９を外槽４に貯水すれば、これらの課題の発生を抑制することができる。
【００４１】
次に、使用済み紙おむつ１８の脱水動作について、図３を用いて説明する。液排出部９から、外槽４に溜まっている処理液等の液体を排出した後、内槽５を外槽４に対して高速に回転させることで、使用済み紙おむつ１８を脱水することができ、使用済み紙おむつ１８を減量することができる。具体的には、８００〜１３００ｒｐｍ程度で脱水することが好ましい。このとき、使用済み紙おむつ１８は、遠心力によって内槽５内で外側に向けて押し付けられる。紙おむつ１８には、接着剤が用いられており、処理動作を連続して行っていると、溶け出した接着剤が内槽５の内側に付着し、脱水後に内槽５と使用済み紙おむつ１８とが接着剤で貼り付いてしまうことがある。内槽５の下部にテーパー部５ｄを設けている場合には、テーパー部５ｄに特に貼り付きやすくなる傾向がある。しかし、内槽５の内部には、板７３が取り付けられており、脱水時の遠心力により、板７３も同時に側面に押し付けられて弾性的に湾曲する。脱水動作が完了すると、遠心力が無くなるために、湾曲していた板７３は、元の位置に戻ろうとする。この力で、内槽５の側面に貼り付いていた使用済み紙おむつ１８が剥がされる。
【００４２】
板７３同士の間隔は、例えば３〜１５ｃｍが好ましい（図４（ａ）参照）。この場合、使用済み紙おむつ１８を内槽５から剥がすことが可能である。板７３同士の設置間隔が３ｃｍ未満の場合は、脱水時の遠心力で使用済み紙おむつ１８が板７３の間に挟まってしまい、使用済み紙おむつ１８が内槽５から落下しないことがある。一方で、板７３同士の設置間隔が１５ｃｍよりも広すぎると、板７３の間に、使用済み紙おむつ１８が入り込んでしまい、剥がすことができない場合がある（図４（ｂ）参照）。
【００４３】
板７３の幅は、例えば１〜５ｃｍが好ましい。板７３の幅が１ｃｍ未満の場合は、貼り付いた使用済み紙おむつ１８を内槽５から剥がす力が板７３で不足してしまう。板７３の幅が５ｃｍを超える場合は、板７３自体に使用済み紙おむつ１８が貼り付いてしまい、使用済み紙おむつ１８が内槽５から落下しないことがある。
【００４４】
また、板７３の材料としては、弾性が強く折れにくい塩化ビニルなどが好ましい。この場合、板７３の厚さは例えば１〜３ｍｍが好ましい。板７３の厚さが１ｍｍ未満の場合は、板７３で弾性力が不足してしまい、貼り付いた使用済み紙おむつ１８を剥がす力が不足してしまう。板７３の厚さが３ｍｍを超える場合は、板７３で弾性力が強すぎてしまい、湾曲しないために、貼り付いた使用済み紙おむつ１８を内槽５から剥がせないことがある。
【００４５】
次に、使用済み紙おむつ１８の取り出し動作について、図５を用いて説明する。脱水が終わった状態で、ヒンジ部７１，７２を介して外槽底部１５及び内槽底部１７を開口すると、使用済み紙おむつ１８は、格納容器７に設置された廃棄用袋８内に落下する。使用済み紙おむつ１８を排出する場合には、装置本体３に対して取出部６を横方向にスライドさせるなどして装置本体３から取り出し、格納容器７から廃棄用袋８を取り出すだけで排出が可能となる。
【００４６】
以上、説明した本実施形態１によれば、金属イオンなどを含む薬剤で減量処理した紙おむつ１８は、処理槽２０内で分離解体されることなく繊維部分が残っている。また、処理後の紙おむつ１８を内槽上方から作業者が直接取り出す必要がなく、作業者の手を煩わせることなく廃棄用袋８に格納することが可能であり、作業者の作業負担及び衛生上の負担を軽減することが出来る。
【００４７】
なお、本実施形態１では、格納容器７に廃棄用の廃棄用袋８を設置しているが、廃棄用袋８を設置せず、直接、格納容器７に格納するようにしても良い。
【００４８】
また、外槽４に水を貯水した後に、金属イオンなどを含む薬剤を投入して、処理液１９を作成する代わりに、予め、水と薬剤とを混合した処理液１９を別途作成しておき、作成した処理液１９を、直接、外槽４に貯留する構成にしても良い。
【００４９】
また、内槽５を回転させるのに、ベルト１４を用いることなく、直接、モータ１２で駆動することも可能である。
【００５０】
［実施形態２］
図６は、本発明の実施形態２の装置構成を示している。
【００５１】
本実施形態１では、板７３は一枚の板で構成されている。そのため、遠心力で押し付けられた際に、テーパー部５ｄとの間に隙間９０が出来ている。本実施形態１の脱水動作時を示す図３のＩＶ−ＩＶ線での切断断面図を図７に示す。脱水動作時に使用済み紙おむつ１８が遠心力で押し付けられると、内槽５と板７３との間に出来た隙間９０に、使用済み紙おむつ１８が押し込まれて板７３の裏側への回り込みが発生してしまい、脱水動作完了後も突っ張り力Ｆによって、使用済み紙おむつ１８が内槽５内から落下しない場合がある。
【００５２】
そこで、各板７３の下端に、ヒンジ部７４を介して、さらに下方に延びる短い板７５が取り付けられている点が、実施形態１と相違する。
【００５３】
このように、内槽５と各板７３との間の隙間９０が無くなるように、各板７３の下端部に、ヒンジ部７４で可動できる短い板７５を取り付けることで、短い板７５がテーパー部５ｄの内面に合わせるように板７３に対して屈曲し、板７３又は短い板７５が、テーパー部５ｄに、より接近することができて、内槽５と板７３との間の隙間をより狭くすることができる。その結果、内槽５と板７３との間の隙間９０に、使用済み紙おむつ１８が入り込むことを効果的に防止できて、使用済み紙おむつ１８を内槽５から、より確実に剥がすことが可能である。
【００５４】
実施形態２の構成によれば、脱水動作時にヒンジ部７４が折れ曲がることで、内槽５と板７５との隙間が無くなり、使用済み紙おむつ１８が押し込まれて板７５の裏側への回り込むことがなくなり、使用済み紙おむつ１８を確実に引き剥がすことが可能である（図８参照）。
【００５５】
以上、説明した本実施形態２によれば、脱水動作時の遠心力により、ヒンジ部７４を介して板７３と短い板７５とが屈曲して内槽５の内面に沿うことにより、使用済み紙おむつ１８を内槽５から、より確実に引き剥がすことが可能となる。
【００５６】
［実施形態３］
図９は、本発明の実施形態３の装置構成を示している。
【００５７】
本実施形態１及び２では、それぞれ、複数個の板７３は互いに分離されているが、実施形態１の隣接する板７３と板７３との間に、網７６が張られている点が、実施形態１及び２とは相違する。
【００５８】
このように、隣接する板７３と板７３との間に網７６を張って、使用済み紙おむつ１８を内槽５の内面から離すように位置規制する。このような構成により、使用済み紙おむつ１８が、隣接する板７３と板７３との間に位置したとしても、網７６により、使用済み紙おむつ１８を内槽５から、より確実に引き剥がすことが可能となる。
【００５９】
このような構成を取ることで、脱水動作時に使用済み紙おむつ１８が遠心力で押し付けられて、隣接する板７３と板７３との間の隙間に使用済み紙おむつ１８が押し込まれて板７３の裏側への回り込みが発生しようとする課題を回避することが可能である。
【００６０】
以上、説明した本実施形態３によれば、脱水動作時に使用済み紙おむつ１８が遠心力で押し付けられて、隣接する板７３と板７３との間の隙間に使用済み紙おむつ１８が押し込まれても、隣接する板７３と板７３との間の網７６により、押し込まれた、使用済み紙おむつ１８を内槽５から、より確実に引き剥がすことが可能となる。
【００６１】
前記したように、実施形態１〜３にかかる使用済み紙おむつ処理装置によれば、外槽５の底部と内槽４の底部とが開閉することができ、内槽内面に配置された貼付防止部材の板７３などで脱水後のおむつを内槽内面から離すように引き剥がして、処理後のおむつを内槽４から落下させ、内槽４の下方から取り出すことができ、作業者の作業負担及び衛生上の負担を軽減することが可能である。
【００６２】
以上、本発明の実施形態を説明したが、上述した実施形態は本発明を実施するための例示に過ぎない。よって、本発明は上述した実施形態に限定されることなく、その趣旨を逸脱しない範囲内で上述した実施形態を適宜変形して実施することが可能である。
【００６３】
例えば、前記様々な実施形態又は変形例のうちの任意の実施形態又は変形例を適宜組み合わせることにより、それぞれの有する効果を奏するようにすることができる。また、実施形態同士の組み合わせ又は実施例同士の組み合わせ又は実施形態と実施例との組み合わせが可能であると共に、異なる実施形態又は実施例の中の特徴同士の組み合わせも可能である。
【産業上の利用可能性】
【００６４】
本発明の前記態様にかかる使用済み紙おむつ処理装置は、排泄物に含まれる水分を吸収した高吸水性ポリマーと２価の金属イオンなどを含む薬品を混合することで、高吸水性ポリマーが持つ吸水機能を低下させることで水分を離水させ、使用済み紙おむつが含む水分量を低下させることで重量を減量することが可能である。また、本発明の前記態様にかかる使用済み紙おむつ処理装置は、処理後の使用済み紙おむつを作業者が直接、内槽から取り出す必要がないため、作業者の作業負担及び衛生面での負担を低減することが可能であり、紙おむつを多量に使う高齢者施設、又は、保育施設での作業改善等に利用することが可能である。
【符号の説明】
【００６５】
１    使用済み紙おむつ処理装置
２    投入扉
３    装置本体
４    外槽
４ｃ  円筒部
４ｄ  テーパー部
５    内槽
５ａ  貫通穴
５ｂ  円錐部
５ｃ  円筒部
５ｄ  テーパー部
６    取出部
７    格納容器
８    廃棄用袋
９    液排出部
１０    液供給部
１１    制御装置
１２    モータ
１３    シャフト
１４    ベルト
１５    外槽底部
１７    内槽底部
１８    使用済み紙おむつ
１９    処理液
２０    処理槽
７０    回転駆動部
７１，７２，７４    ヒンジ部
７３    板
７５    板
７６    網
９０    隙間
１０１  使用済み紙おむつ処理装置
１０２  開閉蓋
１０７  回転ドラム
１１１  貫通孔
１１２  攪拌突起
１１６  モータ
１３３  水供給管
１３５  排出管
１３６  開閉弁
１３７  排出管
２０１  使用済み紙おむつ処理装置
２０２  石灰
２０３  次亜塩素
２０４  処理槽
２０５  使用済み紙おむつ
２０６  水
２０７  液体
２０８  排水
【図１Ａ】
2020192492.tif 000003
【図１Ｂ】
2020192492.tif 000004
【図２】
2020192492.tif 000005
【図３】
2020192492.tif 000006
【図４】
2020192492.tif 000007
【図５】
2020192492.tif 000008
【図６】
2020192492.tif 000009
【図７】
2020192492.tif 000010
【図８】
2020192492.tif 000011
【図９】
2020192492.tif 000012
【図１０】
2020192492.tif 000013
【図１１】
2020192492.tif 000014